【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
本体部の姿勢を表す姿勢信号に基づいて、前記本体部に対する相対的な虚像の表示位置を変化させる位置補正部を備え、
前記本体部には、
表示面を有し、前記表示面に画像を形成する画像形成部、及び前記画像形成部の出力光により、前記画像に対応する前記虚像を対象空間に投影する投影部が実装されており、
前記位置補正部は、
互いに異なる手段で前記虚像の前記表示位置を変化させる複数の補正部を有し、
前記姿勢信号の周波数成分に応じて、前記複数の補正部の中から、少なくとも１つの補正部を選択し、選択した前記補正部にて前記虚像の前記表示位置を変化させるように構成されている
表示位置補正装置。
【請求項２】
前記複数の補正部は、前記表示面における前記画像の位置を変更することで前記虚像の前記表示位置を変化させる画像補正部を含む
請求項１に記載の表示位置補正装置。
【請求項３】
前記位置補正部は、所定の下限周波数以上の前記姿勢信号の周波数成分については、少なくとも前記画像補正部を選択するように構成されている
請求項２に記載の表示位置補正装置。
【請求項４】
前記投影部は、前記画像形成部の出力光を反射又は透過することにより前記虚像を前記対象空間に投影する光学素子を有しており、
前記複数の補正部は、前記光学素子の向き又は位置を変更することで前記虚像の前記表示位置を変化させる素子補正部を含む
請求項１〜３のいずれか１項に記載の表示位置補正装置。
【請求項５】
前記位置補正部は、所定の上限周波数以下の前記姿勢信号の周波数成分については、少なくとも前記素子補正部を選択するように構成されている
請求項４に記載の表示位置補正装置。
【請求項６】
前記複数の補正部は、前記表示面の位置を変更することで前記虚像の前記表示位置を変化させる表示面補正部を含む
請求項１〜５のいずれか１項に記載の表示位置補正装置。
【請求項７】
前記位置補正部は、所定の上限周波数以下の前記姿勢信号の周波数成分については、少なくとも前記表示面補正部を選択するように構成されている
請求項６に記載の表示位置補正装置。
【請求項８】
前記複数の補正部は、第１補正部と、第２補正部と、を含み、
前記位置補正部は、
第１フィルタ及び第２フィルタを更に有し、
前記第１補正部には、前記第１フィルタを通して前記姿勢信号が入力され、
前記第２補正部には、前記第２フィルタを通して前記姿勢信号が入力されるように構成されている
請求項１〜７のいずれか１項に記載の表示位置補正装置。
【請求項９】
請求項１〜８のいずれか１項に記載の表示位置補正装置と、
前記画像形成部及び前記投影部が実装された前記本体部と、を備える
表示装置。
【請求項１０】
請求項９に記載の表示装置と、
前記投影部からの光を反射する反射部材と、を備える
移動体。
【手続補正２】
【補正対象書類名】明細書
【補正対象項目名】発明の名称
【補正方法】変更
【補正の内容】
【発明の名称】表示位置補正装置、表示位置補正装置を備える表示装置、及び表示装置を備える移動体
【手続補正３】
【補正対象書類名】明細書
【補正対象項目名】０００１
【補正方法】変更
【補正の内容】
【０００１】
本発明は、一般に表示位置補正装置、表示位置補正装置を備える表示装置、及び表示装置を備える移動体に関し、より詳細には、対象空間に虚像を投影する表示位置補正装置、表示位置補正装置を備える表示装置、及び表示装置を備える移動体に関する。
【手続補正４】
【補正対象書類名】明細書
【補正対象項目名】０００６
【補正方法】変更
【補正の内容】
【０００６】
本発明は上記事由に鑑みてなされており、表示装置に加わる様々な振動に対応して虚像の表示位置を調整可能な表示位置補正装置、表示位置補正装置を備える表示装置、及び表示装置を備える移動体を提供することを目的とする。
【手続補正５】
【補正対象書類名】明細書
【補正対象項目名】０００７
【補正方法】変更
【補正の内容】
【０００７】
第１の態様に係る表示位置補正装置は、位置補正部を備える。前記位置補正部は、本体部の姿勢を表す姿勢信号に基づいて、前記本体部に対する相対的な虚像の表示位置を変化させる。前記本体部には、表示面を有し、前記表示面に画像を形成する画像形成部、及び前記画像形成部の出力光により、前記画像に対応する前記虚像を対象空間に投影する投影部が実装されている。前記位置補正部は、互いに異なる手段で前記虚像の前記表示位置を変化させる複数の補正部を有する。前記位置補正部は、前記姿勢信号の周波数成分に応じて、前記複数の補正部の中から、少なくとも１つの補正部を選択し、選択した前記補正部にて前記虚像の前記表示位置を変化させるように構成されている。
【手続補正６】
【補正対象書類名】明細書
【補正対象項目名】０００８
【補正方法】変更
【補正の内容】
【０００８】
第２の態様に係る表示位置補正装置は、第１の態様において、前記複数の補正部は、前記表示面における前記画像の位置を変更することで前記虚像の前記表示位置を変化させる画像補正部を含む。
【手続補正７】
【補正対象書類名】明細書
【補正対象項目名】０００９
【補正方法】変更
【補正の内容】
【０００９】
第３の態様に係る表示位置補正装置は、第２の態様において、前記位置補正部は、所定の下限周波数以上の前記姿勢信号の周波数成分については、少なくとも前記画像補正部を選択するように構成されている。
【手続補正８】
【補正対象書類名】明細書
【補正対象項目名】００１０
【補正方法】変更
【補正の内容】
【００１０】
第４の態様に係る表示位置補正装置は、第１〜３のいずれかの態様において、前記投影部は、前記画像形成部の出力光を反射又は透過することにより前記虚像を前記対象空間に投影する光学素子を有している。前記複数の補正部は、前記光学素子の向き又は位置を変更することで前記虚像の前記表示位置を変化させる素子補正部を含む。
【手続補正９】
【補正対象書類名】明細書
【補正対象項目名】００１１
【補正方法】変更
【補正の内容】
【００１１】
第５の態様に係る表示位置補正装置は、第４の態様において、前記位置補正部は、所定の上限周波数以下の前記姿勢信号の周波数成分については、少なくとも前記素子補正部を選択するように構成されている。
【手続補正１０】
【補正対象書類名】明細書
【補正対象項目名】００１２
【補正方法】変更
【補正の内容】
【００１２】
第６の態様に係る表示位置補正装置は、第１〜５のいずれかの態様において、前記複数の補正部は、前記表示面の位置を変更することで前記虚像の前記表示位置を変化させる表示面補正部を含む。
【手続補正１１】
【補正対象書類名】明細書
【補正対象項目名】００１３
【補正方法】変更
【補正の内容】
【００１３】
第７の態様に係る表示位置補正装置は、第６の態様において、前記位置補正部は、所定の上限周波数以下の前記姿勢信号の周波数成分については、少なくとも前記表示面補正部を選択するように構成されている。
【手続補正１２】
【補正対象書類名】明細書
【補正対象項目名】００１４
【補正方法】変更
【補正の内容】
【００１４】
第８の態様に係る表示位置補正装置は、第１〜７のいずれかの態様において、前記複数の補正部は、第１補正部と、第２補正部と、を含む。前記位置補正部は、第１フィルタ及び第２フィルタを更に有する。前記第１補正部には、前記第１フィルタを通して前記姿勢信号が入力される。前記第２補正部には、前記第２フィルタを通して前記姿勢信号が入力されるように構成されている。
【手続補正１３】
【補正対象書類名】明細書
【補正対象項目名】００１５
【補正方法】変更
【補正の内容】
【００１５】
第９の態様に係る表示装置は、第１〜８のいずれかの態様に係る表示位置補正装置と、前記画像形成部及び前記投影部が実装された前記本体部と、を備える。
第１０の態様に係る移動体は、第９の態様に係る表示装置と、前記投影部からの光を反射する反射部材と、を備える。